(57)【要約】【課題】  表示内容を拡張して商品を販売する店舗の店先に設置されるものとして大きく普及できるようにする。【解決手段】  ごみ箱本体１の前面に設けられデータが表示される表示部４と、ごみ箱本体１の内部に収容され表示部４に表示されるデータが記憶されたコントローラ５とを備えている。コントローラ５は、商品の広告等の表示を行う通常データと店舗で強盗事件が発生した際に救助を求める表示を行う緊急データとが記憶されて通常時に通常データを表示するように設定されている。コントローラ５には、店舗の内部に設置されて通常データから緊急データへの表示の切換えを指示するスイッチが接続されている。【選択図】  図１
2014240309.tif 000002
【特許請求の範囲】
【請求項１】
商品を販売する店舗の店先に設置されるものであって、ごみ箱本体の前面に設けられデータが表示される表示部と、ごみ箱本体の内部に収容され表示部に表示されるデータが記憶されたコントローラとを備えたごみ箱装置において、コントローラは商品の広告等の表示を行う通常データと店舗で強盗事件が発生した際に救助を求める表示を行う緊急データとが記憶されて通常時に通常データを表示するように設定され、コントローラには店舗の内部に設置されて通常データから緊急データへの表示の切換えを指示するスイッチが接続されていることを特徴とするごみ箱装置。
【請求項２】
請求項１のごみ箱装置において、コントローラは通信端末を有して第１送信元となる地方自治体等に設置され災害時に機能する災害対策用サーバに接続され、災害対策用サーバはコントローラに記憶されていない災害時の避難先に関する外部データを表示部に表示させるようにコントローラに指示するものであることを特徴とするごみ箱装置。
【請求項３】
請求項１または２のごみ箱装置において、コントローラは通信端末を有して第２送信元となる店舗の内部に設置された店舗用コントローラに接続され、店舗用コントローラはコントローラに記憶されていない商品の取扱状態に関する外部データを表示部に表示させるようにコントローラに指示するものであることを特徴とするごみ箱装置。
【請求項４】
請求項３のごみ箱装置において、コントローラは表示部に表示させる優先順位として第１送信元の外部データ，コントローラの緊急データ，第２送信元の外部データ，コントローラの通常データの順が設定されていることを特徴とするごみ箱装置。
【発明の詳細な説明】
【技術分野】
【０００１】
本発明は、コンビニエンスストアのような商品を販売する店舗の店先に設置されるごみ箱装置に係る技術分野に属する。
【背景技術】
【０００２】
最近、ごみ箱については、各種の表示機能を備えて多目的利用される傾向がある。
【０００３】
従来、表示機能が備えられたごみ箱装置としては、例えば、特許文献１に記載のものが知られている。
【０００４】
特許文献１には、ごみ箱本体の前面に設けられデータが表示される表示部と、ごみ箱本体の内部に収容され表示部に表示されるデータが記憶されたコントローラとを備えたごみ箱装置が記載されている。
【０００５】
特許文献１に係るごみ箱装置は、表示部に表示されるデータとして広告が提供され、ごみ箱を広告装置として利用しようとするものである。
【先行技術文献】
【特許文献】
【０００６】
【特許文献１】特開２００７−３１０１０７号公報
【発明の概要】
【発明が解決しようとする課題】
【０００７】
特許文献１に係るごみ箱装置では、表示内容が広告に限定されてしまうため、商品を販売する店舗の店先に設置されるものとしてはあまり普及が望めないという問題点がある。
【０００８】
本発明は、このような問題点を考慮してなされたもので、表示内容を拡張して商品を販売する店舗の店先に設置されるものとして大きく普及させることのできるごみ箱装置を提供することを課題とする。
【課題を解決するための手段】
【０００９】
前述の課題を解決するため、本発明に係るごみ箱装置は、特許請求の範囲の各請求項に記載の手段を採用する。
【００１０】
即ち、請求項１では、商品を販売する店舗の店先に設置されるものであって、ごみ箱本体の前面に設けられデータが表示される表示部と、ごみ箱本体の内部に収容され表示部に表示されるデータが記憶されたコントローラとを備えたごみ箱装置において、コントローラは商品の広告等の表示を行う通常データと店舗で強盗事件が発生した際に救助を求める表示を行う緊急データとが記憶されて通常時に通常データを表示するように設定され、コントローラには店舗の内部に設置されて通常データから緊急データへの表示の切換えを指示するスイッチが接続されていることを特徴とする。
【００１１】
この手段では、表示内容として強盗事件が発生した際に救助を求める表示が含まれ、店舗の内部に設置されたスイッチで迅速に表示を実行させることができることから、防犯装置としても機能させることができるようになる。
【００１２】
また、請求項２では、請求項１のごみ箱装置において、コントローラは通信端末を有して第１送信元となる地方自治体等に設置され災害時に機能する災害対策用サーバに接続され、災害対策用サーバはコントローラに記憶されていない災害時の避難先に関する外部データを表示部に表示させるようにコントローラに指示するものであることを特徴とする。
【００１３】
この手段では、表示内容として災害時の避難先に関する外部データが外部からの送信によって提供されることで、災害時の避難案内装置としても機能させることができるようになる。
【００１４】
また、請求項３では、請求項１または２のごみ箱装置において、コントローラは通信端末を有して第２送信元となる店舗の内部に設置された店舗用コントローラに接続され、店舗用コントローラはコントローラに記憶されていない商品の取扱状態に関する外部データを表示部に表示させるようにコントローラに指示するものであることを特徴とする。
【００１５】
この手段では、表示内容として商品の取扱状態に関する外部データが外部からの送信によって提供されることで、コントローラに記憶されている通常データよりもはるかに高品質の商品の広告等を表示することができるようになる。
【００１６】
また、請求項４では、請求項３のごみ箱装置において、コントローラは表示部に表示させる優先順位として第１送信元の外部データ，コントローラの緊急データ，第２送信元の外部データ，コントローラの通常データの順が設定されていることを特徴とする。
【００１７】
この手段では、表示部に表示されるデータの優先順位として第１送信元の外部データ，コントローラの緊急データ，第２送信元の外部データ，コントローラの通常データの順がコントローラに設定されることで、災害対応性，緊急性を有するデータの表示が優先される。
【発明の効果】
【００１８】
本発明に係るごみ箱装置は、表示内容として強盗事件が発生した際に救助を求める表示が含まれ、店舗の内部に設置されたスイッチで迅速に表示を実行させることができることから、防犯装置としても機能させることができるようになるため、表示内容を拡張して商品を販売する店舗の店先に設置されるものとして大きく普及させることができる効果がある。
【００１９】
さらに、請求項２として、表示内容として災害時の避難先に関する外部データが外部からの送信によって提供されることで、災害時の避難案内装置としても機能させることができるようになるため、私的な店舗の店先に設置されるものの公的な設備としても機能される効果がある。
【００２０】
さらに、請求項３として、表示内容として商品の取扱状態に関する外部データが外部からの送信によって提供されることで、コントローラに記憶されている通常データよりもはるかに高品質の商品の広告等を表示することができるようになるため、広告装置として広告機能が向上する効果がある。
【００２１】
さらに、請求項４として、表示部に表示されるデータの優先順位として第１送信元の外部データ，コントローラの緊急データ，第２送信元の外部データ，コントローラの通常データの順がコントローラに設定されることで、災害対応性，緊急性を有するデータの表示が優先されるため、私的な店舗の店先に設置されるものの公的な設備としてもより確実に機能される効果がある効果がある。
【図面の簡単な説明】
【００２２】
【図１】本発明に係るごみ箱装置を実施するための形態の斜視図である。
【図２】図１の側面断面図である。
【図３】図１の制御，通信系のブロック図である。
【図４】図１の制御，動作のフローチャートである。
【図５】図１に表示されるデータの正面図であり、（Ａ）〜（Ｄ）にそれぞれ異なるデータが示されている。
【発明を実施するための形態】
【００２３】
以下、本発明に係るごみ箱装置を実施するための形態を図面に基づいて説明する。
【００２４】
この形態では、図１，図２に示すように、商品を販売する店舗であるコンビニエンスストアの店先（軒先）に設置される直方体形からなるものを示してある。
【００２５】
この形態は、図１〜図３に示すように、ごみ箱本体１，太陽電池パネル装置２，バッテリ３，表示部４，コントローラ５，スイッチ６，災害対策用サーバ７，店舗用コントローラ８で構成されている。
【００２６】
ごみ箱本体１は、箱形の上半部１１，下半部１２がヒンジ１３で開閉可能に連結され、ごみを収容する本体部分である下半部１２に対して上半部１１が蓋体として機能され、収容されているごみの回収を容易に行うことができるようになっている。上半部１１の前面には、ごみが投入れる投入口１４が開口され、投入口１４に近接して投入されるごみの分別を指示する分別案内板１５が取付けられている。下半部１２の内部には、投入されたごみを収容するごみ袋１６が吊下げられるフック１７が取付けられている。上半部１１，下半部１２の内部には、下半部１２に固定されて上半部１１側に屈曲突出されて投入口１４の周囲を覆い太陽電池パネル装置２，バッテリ３，コントローラ５のごみによる汚損を防止する区画板１８が設けられている。
【００２７】
太陽電池パネル装置２は、太陽エネルギを収集して電気エネルギに変換するもので、ごみ箱本体１の上半部１１の傾斜した天面に取付けられている。
【００２８】
バッテリ３は、太陽電池パネル装置２によって変換された電気エネルギを蓄電するもので、太陽電池パネル装置２と一体的に設けられている。
【００２９】
表示部４は、各種のデータ（テキスト，イメージ等）を表示するもので、液晶，有機ＥＬ等によって薄型に形成されてごみ箱本体１の下半部１２の前面に取付けられている。なお、この表示部４には、音声からなるデータを表示（発音）するスピーカを内蔵させることもできる。
【００３０】
コントローラ５は、図３に詳細に示されるように、表示部４に接続されマイクロプロセッサを有して各種の制御，演算を行う中央処理部５１と、中央処理部５１に接続された電源管理部５２，記憶部５３，通信端末５４とからなるもので、ごみ箱本体１の上半部１１の内部の背板に取付けられている。
【００３１】
コントローラ５の電源管理部５２は、交流電源にケーブル５５で電気的に接続されるとともにバッテリ３とも電気的に接続され、交流電源が遮断された際にバッテリ３をコントローラ５や表示部４に通電させる切換機能を有している。
【００３２】
コントローラ５の記憶部５３は、表示部４に表示されるデータを記憶（内蔵）させておくもので、抜差し交換可能なカード型が好ましいものである。記憶部５３に記憶されるデータは、通常データと緊急データとからなる。通常データは、図５（Ａ）に示すように、商品の広告等の文字や画像（動画，静止画）からなる。通常データについては、記憶部５３カード型としておくことによって簡単に更新することができる。緊急データは、図５（Ｃ）に示すように、店舗で強盗事件が発生した際に救助を求める文字や画像（動画，静止画）からなる。なお、中央処理部５１は、通常時に通常データを表示部４に表示させ、スイッチ６の指示で緊急データを表示部４に切換表示するように設定されている。
【００３３】
コントローラ５の通信端末５４は、災害対策用サーバ７，店舗用コントローラ８から送信されたデータを受信するもので、災害対策用サーバ７，店舗用コントローラ８に有線または無線で接続されている。なお、中央処理部５１は、通信端末５４を介して受信した災害対策用サーバ７，店舗用コントローラ８から送信された外部データを表示部４に表示することができるものであるが、災害対応性，緊急性を考慮して、災害対策用サーバ７から送信された外部データが最優先に表示され、続いて緊急データ，店舗用コントローラ８から送信された外部データ，通常データの順に表示する優先順位が設定されている。
【００３４】
スイッチ６は、コントローラ５の中央処理部５１に緊急データの表示を指示する迅速な操作が可能なワンタッチの押ボタン等からなるもので、店舗のカウンター等に設置されてコントローラ５の中央処理部５１に接続されている。
【００３５】
災害対策用サーバ７は、第１送信元となる地方自治体等に設置され、災害時の避難先に関する外部データ（図５（Ｄ）参照）を送信するものである。
【００３６】
店舗用コントローラ８は、第２送信元となる店舗の内部に設置され、商品の取扱状態に関する外部データを送信するものである。商品の取扱状態とは、商品の製造（調理），搬入，陳列等のことである。この外部データについては、店舗用コントローラ８に予め作成，記憶させておいて送信することもできるし、カメラ等でリアルタイムに作成して送信することもできる。
【００３７】
この形態によると、通常時には、コントローラ５の記憶部５３に記憶されている通常データが表示部４に表示される。即ち、広告装置として機能する。そして、店舗内に強盗事件が発生した緊急時には、店舗の内部に設置されたスイッチ６から緊急データを表示部４に迅速に表示させることができる。即ち、防犯装置として機能する。従って、表示部４の表示内容を拡張することができて、商品を販売する店舗の店先に設置されるものとして大きく普及させることができることになる。
【００３８】
さらに、店舗用コントローラ８から送信される商品の取扱状態に関する外部データによって、コントローラ５の記憶部５３に記憶されている通常データよりもはるかに高品質の商品の広告等を表示部４に表示することができるようになるため、広告装置として広告機能が向上することになる。又、商品の取扱状態を臨場感ある映像で表示できるので、観る人に興味を喚起することができる。
【００３９】
さらに、災害対策用サーバ７から送信される災害時の避難先に関する外部データによって、災害時の避難案内装置としても機能させることができるようになるため、私的な店舗の店先に設置されるものの公的な設備としても機能されることになる。特に、災害対応性，緊急性を考慮して、表示部４への表示の順位として第１送信元（災害対策用サーバ７）の外部データ，緊急データ，第２送信元（店舗用コントローラ８）の外部データ，通常データの順が設定されているため、私的な店舗の店先に設置されるものの公的な設備としてもより確実に機能されることになる。
【００４０】
以上、図示した形態の外に、コントローラ５，表示部４の機能を利用して他の各種の情報を表示することもできる。この際には、コントローラ５の通信端末５４を介してインターネット等のコンピュータネットワークに接続させることも可能である。また、表示部４にタッチパネル機能を備えて、表示部４を各種情報の表示のための入力部として機能させることも可能である。
【産業上の利用可能性】
【００４１】
本発明に係るごみ箱装置は、コンビニエンスストア以外の商品（サービスを含む）を販売する広範な店舗の店先に設置されて有効性を発揮する。  
【符号の説明】
【００４２】
１            ごみ箱本体
４            表示部
５            コントローラ
６            スイッチ
７           
災害対策用サーバ（第１送信元）
８           
店舗用コントローラ（第２送信元）
【図１】
2014240309.tif 000003
【図２】
2014240309.tif 000004
【図３】
2014240309.tif 000005
【図４】
2014240309.tif 000006
【図５】
2014240309.tif 000007